(57)【要約】【課題】フォルダーの開閉とは関係なく、カメラが使用できるばかりか、必要に応じてカメラの要否をユーザーが選択できるようにすることによって、経済的な負担感を減少しうる携帯電話を提供する。【解決手段】携帯用電話端末機において、カメラモジュールと、前記カメラモジュールを駆動するプロセッサーを含む本体、および前記本体の一側に着脱可能に設けられ、前記カメラモジュールの装着されたバッテリーとを含む。【選択図】　図５
2004048682.tif 000002
【特許請求の範囲】
【請求項１】
携帯用電話端末機において、
カメラモジュールと、
前記カメラモジュールを駆動するプロセッサーを含む本体と、
前記本体の一側に着脱可能に設けられ、前記カメラモジュールの装着されたバッテリーと、
を含むことを特徴とする携帯電話。
【請求項２】
前記本体及び前記カメラモジュールは、電源端子、グラウンド端子、データ入力端子、およびデータ出力端子の４つのピンによって連結されることを特徴とする、請求項１記載の携帯電話。
【請求項３】
前記本体及び前記カメラモジュールは、データ入力端子とデータ出力端子の２つのピンによって連結され、
前記バッテリー及び前記カメラモジュールは、電源端子及びグラウンド端子の２つのピンによって連結されることを特徴とする、請求項１記載の携帯電話。
【請求項４】
前記本体及び前記カメラモジュールは、電源端子、グラウンド端子、データ入力端子、データ出力端子、選択端子、およびクラック信号端子の６つのピンによって連結されることを特徴とする、請求項１記載の携帯電話。
【請求項５】
前記本体及び前記カメラモジュールは、データ入力端子、データ出力端子、選択端子、およびクラック信号端子の４つのピンによって連結され、
前記バッテリー及び前記カメラモジュールは、電源端子とグラウンド端子の２つのピンによって連結されることを特徴とする、請求項１記載の携帯電話。
【請求項６】
前記カメラモジュールは、撮像をするためのカメラ、および前記カメラが動作するように、前記本体のプロセッサーとインターフェースを可能にするインターフェース部とを含むことを特徴とする、請求項１記載の携帯電話。
【請求項７】
前記インターフェース部は、ＵＳＢを使用することを特徴とする、請求項６記載の携帯電話。
【請求項８】
前記インターフェース部は、ＵＡＲＴを使用することを特徴とする、請求項６記載の携帯電話。
【請求項９】
前記インターフェース部は、ＳＰＩを使用することを特徴とする、請求項６記載の携帯電話。
【発明の詳細な説明】
【０００１】
【発明の属する技術分野】
本発明は、携帯電話に関し、より詳しくは、画像が送信可能にカメラを設けられた携帯電話に関する。
【０００２】
【従来の技術】
現在、多種の無線通信機器が普及されているが、その中でも最も急速かつ広範に普及しているのが携帯電話である。
【０００３】
かかる携帯電話には、このところではユーザーのニーズに応えて多種の機能が採用されているが、無線電子メールには送信と画像の伝送などが行える機能など、多くの機能が採用されている。
【０００４】
その際、画像の伝送などが行われるためにはカメラが別途に必要となるが、そのカメラは、別途のアクセサリー部品として携帯電話に装着される外装型と、携帯電話の本体に内蔵される内蔵型とに大分される。
【０００５】
上記外装型の場合は、ユーザーが別途に保管しながら必要に応じて携帯電話に装着するようになされたものであるが、このものは外部へ突出しており外見を損なう問題点があり、特に保管過程において紛失の心配があるなどの問題点をはらんでいる。
【０００６】
かかる問題点を解決するために、図１及び図２に示すように、内蔵型カメラが装着された携帯電話が広範に普及している。
【０００７】
図１に装着されたものは、携帯電話本体（１０）の内面を選択的に保護するようになされたフォルダー（２０）下部の一側面にカメラ（３０）を内蔵したものである。
【０００８】
さらに、図２において、カメラ（３）を携帯電話の本体（１）とフォルダー（２）との間に設けることによって、フォルダー（２）を開いた際に、カメラ（３）が露出するようになされたものである。
【０００９】
まず、上記図１に示すフォルダー（２０）上にカメラ（３０）を内蔵されたものは、フォルダー（２０）を開いた状態では使用しづらいという問題点がある。
【００１０】
図２に示す内蔵型は、上記の問題点を解決したものであるが、フォルダー（２）を開いた状態で使用できる利点がある反面、これもフォルダー（２０）を開いた状態でのみ使用できるという問題点を有している。
【００１１】
さらに、これらの共通点は、携帯電話とカメラ（３，３０）とが一体に形成されることによって、携帯電話の値段が高くなるし、ユーザーはかかる携帯電話を購入する場合、カメラ（３，３０）は不要であるにもかかわらず、否応なしにカメラ（３，３０）も共に購入せざるをえないことになるから、高い費用を支払わなければならないという問題点がある。
【００１２】
ユーザーは、経済的負担を減らすために、図示されたものとは違うカメラ（３，３０）のない携帯電話を選択して使用することもできるが、かかる場合、必要時にカメラ（３，３０）を使用することができないばかりか、カメラ（３，３０）が必要である場合、再度カメラ（３，３０）を備えた別の携帯電話を購入しなければならないという問題点もある。
【００１３】
一方、携帯電話の製造会社は、カメラ（３，３０）のある携帯電話と、カメラ（３，３０）のない携帯電話を供給するために、２種類の携帯電話を量産しなければならないことから、携帯電話の開発と生産を別々に進捗させることになるため、製造費用が倍加される問題点もある。
【００１４】
これとともに、携帯電話の生産ラインもまた２つを設けなければならないことから、生産ラインの設置費用が過大に発生してしまうという問題点もある。
【００１５】
【発明が解決しようとする課題】
そこで、本発明は、上記種々の問題点を解決するためになされたものであり、本発明の目的は、フォルダーの開閉とは関係無く、カメラが使用できるばかりか、必要に応じてカメラの要否をユーザーが選択できるようにすることによって、経済的な負担感を減少しうる携帯電話を提供することである。
【００１６】
【課題を解決するための手段】
上記目的を達成するために、本発明に係る携帯電話は、携帯用電話端末機において、カメラモジュールと、前記カメラモジュールを駆動するプロセッサーを含む本体、および前記本体の一側に着脱可能に設けられ、前記カメラモジュールを装着されたバッテリーとを含むことを特徴とする。
【００１７】
また、前記カメラモジュールは、撮像をするためのカメラ、および前記カメラが動作するように、前記本体のプロセッサーとインターフェースを可能にするインターフェース部とを含むことを特徴とする。
【００１８】
かかる本発明の特徴的な構成、およびこれに従う作用・効果は、後述の添付図を参照して、発明の詳細な説明から明確になるであろう。
【００１９】
【発明の実施の形態】
以下、本発明に係る一実施例について添付図を参照しながら詳述する。
【００２０】
図３は本発明の実施例１に係る携帯電話を示す背面図であり、バッテリーが装着された本体の背面を示すものである。図４は図３に示すバッテリーの正面図および背面図であり、図４（ａ）はバッテリーの背面を示し、図４（ｂ）はバッテリーの正面を示している。
【００２１】
さらに、図５は図３に示す携帯電話の側面図であり、図中の携帯電話は本体（１００）にフォルダー（２００）が装着された携帯電話を実施例として示されたものであり、フォルダー（２００）が開かれた状態を示すものである。
【００２２】
図示のように、本発明に係る携帯電話は、本体（１００）と、本体（１００）に連結されたフォルダー（２００）と、本体（１００）に着脱されるカメラ（４１０）を設けられたバッテリー（３００）とに大分される。
【００２３】
ここで、本発明についてより詳述すると、本体（１００）には図示のない通信部と複数の機能キー（１１０）が設けられ、かような本体（１００）には携帯電話本体（１００）の内面を保護し、正面と背面に内側表示窓（２１０）と外側表示窓（２２０）を備えたフォルダー（２００）が折りたたみ可能に設けられる。
【００２４】
さらに、本体（１００）の背面には駆動源としてバッテリー（３００）が着脱可能に設けられ、かようなバッテリー（３００）は一側に画像撮影をするためのカメラモジュール（４００）が一体形に設けられて、背面の下部には本体（１００）へ電源を供給する電源端子（３２０）が設けられる。
【００２５】
カメラモジュール（４００）は、本体（１００）に結合される部位の反対側に撮像をするためのカメラ（４１０）と、カメラ（４１０）の後側に形成されてカメラ（４１０）と本体（１００）を相互にインターフェースさせ、バッテリー（３００）の電源をカメラ（４１０）に印加する連結端子（３１０）とからなる。
【００２６】
本体（１００）には、カメラモジュール（４００）を制御し、バッテリー（３００）の連結端子（３１０）から入力される光学像データを受信するプロセッサー（５００）が内蔵される。
【００２７】
一方、カメラモジュール（４００）の連結端子（３１０）は、ＵＳＢ（Ｕｎｉｖｅｒｓａｌ　Ｓｅｒｉａｌ　Ｂｕｓ）とＵＡＲＴ（Ｕｎｉｖｅｒｓａｌ　Ａｓｙｎｃｈｒｏｎｏｕｓ　Ｒｅｃｅｉｖｅｒ／Ｔｒａｎｓｍｉｔｔｅｒ）方式のインターフェースが可能となる４つのピンからなり、そのピンは、図４に示すように、本体（１００）とデータ送受信をするためのデータ入力端子（３１２）、およびデータ出力端子（３１３）、さらにバッテリー（３００）の電源を印加されるための電源端子（３１４）、およびグラウンド端子（３１５）とからなる。
【００２８】
かように構成された図３〜５に示す携帯電話は、本体（１００）に電源が供給されるようにバッテリー（３００）を装着された後、機能キー（１１０）を操作すると、プロセッサー（５００）が作動してカメラモジュール（４００）が駆動され、これによってカメラ（４１０）は撮像、および撮像された画像を表示するようになる。
【００２９】
より詳述すると、カメラ（４１０）の電源ＯＮ／ＯＦＦスイッチに設定された本体（１００）の機能キー（１１０）を操作すると、プロセッサ（５００）はバッテリー（３００）から本体（１００）に印加された電流を連結端子（３１０）の電源端子（３１４）とグラウンド端子（３１５）へ流れるようにして、カメラモジュール（４００）に電源を供給する。
【００３０】
さらに、撮像をするためにカメラ（４１０）の作動を制御するように設定された機能キー（１１０）を操作すると、プロセッサ（５００）は連結端子（３１０）なるデータ入力端子（３１２）を通してカメラモジュール（４００）に駆動信号を印加してカメラ（４１０）が撮像されるようにする。
【００３１】
この際、撮像された画像はデータ出力端子（３１３）を通して本体（１００）に伝送され、伝送された画像は本体（１００）に設けられたフォルダー（２００）の内外側の表示窓（２１０、２２０）中のいずれかの一つに再現される。
【００３２】
勿論、ユーザーがカメラ（４１０）の反対側の内側表示窓（２１０）を見ながら被写体を撮影する場合は、画像が内側表示窓（２１０）に再現され、ユーザーがカメラ（４１０）を見ながら自身を撮影する場合は、画像が外側表示窓（２２０）に再現される。
【００３３】
一方、カメラ（４１０）が不要である場合は、電源端子（３２０ａ）だけが存在し、カメラ（４１０）は設けられていない図６に示すバッテリー（３００ａ）を本体（１００）に結合させて使用することができる。かようなバッテリー（３００ａ）によって、ユーザーは必要に応じて、カメラ（４１０）が存在するバッテリー（３００）と、カメラ（４１０）のないバッテリー（３００ａ）を選択的に購入して使用することができる。
【００３４】
ここで、図６はカメラモジュールのないバッテリーの正面図および背面図であり、図６（ａ）はバッテリーの背面図であり、図６（ｂ）はバッテリーの正面図である。
【００３５】
これとは異なり、図７は本発明の実施例２に係るカメラモジュールを有するバッテリーの正面図および背面図であり、図７（ａ）はバッテリーの背面図であり、図７（ｂ）はバッテリーの正面図である。
【００３６】
図示されたバッテリーは、上記本発明の実施例１に係るバッテリーと、構成および作用は同一であるが、バッテリー（３００）の電源が本体（１００）を経由してカメラモジュール（４００）に供給される実施例１とは異なり、バッテリー（３００）の電源がカメラモジュール（４００）に直接供給されるように、連結端子（３１０ａ）の電源端子（３１４ａ）とグラウンド端子（３１５ａ）がバッテリー（３００）の内部に内蔵された点が相違している。
【００３７】
したがって、実施例２に係るバッテリー（３００）の説明にあたって、実施例１におけると同一の構成に対しては同一符号を付して、同一の説明は省くことにする。
【００３８】
ここで、図７に示すバッテリー（３００）の特徴について述べると、バッテリー（３００）は連結端子（３１０ａ）なるデータ入出力端子（３１２ａ、３１３ａ）がバッテリー（３００）の背面から見られるように形成された反面、電源端子（３１４ａ）とグラウンド端子（３１５ａ）はバッテリー（３００）の内部に見られないように形成されたのが特徴である。
【００３９】
かようなバッテリー（３００）は、本体（１００）に装着されてから、プロセッサ（５００）から所定時間の間にカメラモジュール（４００）の駆動信号が入力されないと、電源端子（３１４ａ）の電源が自動的に遮断されるように、カメラモジュール（４００）が設計されて、バッテリー（３００）の放電を防止することができる。
【００４０】
バッテリー（３００）は、本体（１００）から分離されても電源端子（３１４ａ）の電源が自動的に遮断されるように、カメラモジュール（４００）が設計されてバッテリー（３００）の放電が防止できる。
【００４１】
かようなバッテリー（３００）は、本体（１００）に装着するときにプロセッサー（５００）の作動につれてカメラ（４１０）を駆動させて撮像することができるし、撮像された光学像はデータ入出力端子（３１２ａ、３１３ａ）により本体（１００）とインターフェースされて表示される。
【００４２】
一方、図８は本発明の実施例３に係るカメラモジュールを有するバッテリーの正面図および背面図であり、図８（ａ）はバッテリーの背面図であり、図８（ｂ）はバッテリーの正面図である。
【００４３】
図８に示すバッテリーは、上記実施例１、２の４ピン形式連結端子（３１０、３１０ａ）とは異なり、連結端子（６１０）を６ピン形式に形成してＳＰＩ（Ｓｅｒｉａｌ　Ｐａｒａｌｌｅｌ　Ｉｎｔｅｒｆａｃｅ）インターフェースを可能にしたものである。
【００４４】
図示したように、実施例３に係る連結端子（６１０）は、データ入出力端子（６１２、６１３）と電源端子（６１４）、グラウンド端子（６１５）、およびＣＳ端子（６１６）とＣＬＫ端子（６１７）とからなる。
【００４５】
さらに、カメラモジュール（４００）の電源は、実施例１と同様に、バッテリー（３００）の電源が本体（１００）を経由して、電源端子（６１４）およびグラウンド端子（６１５）に供給され、カメラ（４１０）の撮像および撮像された画像の表示は、本体（１００）のプロセッサー（５００）と相互にインターフェースされるデータ入出力端子（６１２、６１３）とＣＳ端子（６１６）、およびＣＬＫ端子（６１７）を通して行われる。
【００４６】
図９は本発明の実施例４に係るカメラモジュールを有するバッテリーの正面図、および背面図であり、図９（ａ）はバッテリーの背面図、図９（ｂ）はバッテリーの正面図である。
【００４７】
図９に示すバッテリーは上記実施例３と構成、および作用が同一であるが、実施例２におけると同様、電源端子（６１４ａ）とグラウンド端子（６１５ａ）がバッテリー（３００）の内部に内蔵されるのが相違点である。
【００４８】
つまり、バッテリー（３００）に設けられたカメラモジュール（４００）の連結端子（６１０ａ）からデータ入出力端子（６１２ａ、６１３ａ）とＣＳ端子（６１６ａ）、およびＣＬＫ端子（６１７ａ）はバッテリー（３００）の背面から見られるように形成され、電源端子（６１４ａ）とグラウンド端子（６１５ａ）は見られないように形成される。
【００４９】
さらに、カメラモジュール（４００）の電源は、実施例２と同様に、バッテリー（３００）の電源が本体（１００）を経由せずに、電源端子（６１４ａ）とグラウンド端子（６１５ａ）を通してカメラモジュール（４００）に直接供給され、カメラ（４１０）の撮像、および撮像された画像の表示は、本体（１００）のプロセッサー（５００）と相互にインターフェースされるデータ入出力端子（６１２ａ、６１３ａ）とＣＳ端子（６１６ａ）、およびＣＬＫ端子（６１７ａ）を通して行われる。
【００５０】
かような場合にも、バッテリー（３００）の放電を防止するため、本体（１００）のプロセッサー（５００）からカメラモジュール（４００）の駆動信号が所定時間の間に入力されないか、バッテリー（３００）が本体（１００）から所定時間の間に離脱される場合、自動的に電源端子（６１４ａ）の電源が遮断されるようにカメラモジュール（４００）を設計すべきである。
【００５１】
上記実施例１〜４に係る本発明の携帯電話は、フォルダー（２００）の開閉とは関係無くカメラ（４１０）を使用することができるし、ユーザーの必要に応じてカメラ（４１０）の装着されたバッテリー（３００）とカメラ（４１０）の非装着のバッテリー（３００ａ）を選択的に使用することができる。
【００５２】
さらに、ユーザーはカメラ（４１０）の必要性により、カメラ（４１０）のあるバッテリー（３００）と、カメラ（４１０）のないバッテリー（３００ａ）を選択的に購入できることから、カメラ（４１０）の必要時に従来のごとく本体（１００）を購入しなくても済むことから、携帯電話の購入費用が節減できるし、携帯電話の製造会社はカメラ（４１０）の要否とは関係無く単一モデルの本体（１００）を量産できることによって、製造費用を節減できる。
【００５３】
以上の説明において、本発明は特定の実施例と関連づけて図示および説明を行ったが、特許請求の範囲に示された発明の思想および範囲から逸脱しない限りにおいて、多様な改造および変形が可能であることは、当業者であれば容易に理解されうるであろう。
【００５４】
【発明の効果】
上述のように、本発明に係る携帯電話によれば、バッテリー上にカメラを設けることによって、フォルダーを開放したときだけでなく、閉じた状態においてもカメラを使用することができる。
【００５５】
さらに、ユーザーはカメラの装着されたバッテリーと、カメラの非装着であるバッテリーからなる２種類のバッテリーを選択的に購入できることから、携帯電話の購入に伴う経済的な負担感を減少しうるばかりか、必要に応じて２種類のバッテリーを意のままに選択して使用できる効果がある。
【００５６】
さらに、携帯電話の本体にカメラが存在しないことによって、携帯電話の製造会社は、カメラの要否とは関係無く、一種類の態様からなる本体だけを製造すれば済むため、開発費用及び生産ラインの設置費用も節減できる一石二鳥の優れる効果がある。
【図面の簡単な説明】
【図１】従来の内蔵型携帯電話の正面図である。
【図２】従来の内蔵型携帯電話の正面図である。
【図３】本発明の実施例１に係る携帯電話を示す背面図である。
【図４】図３に示すバッテリーの正面図および背面図である。
【図５】図３に示す携帯電話の側面図である。
【図６】カメラモジュールのないバッテリーの正面図および背面図である。
【図７】本発明の実施例２に係るカメラモジュールを有するバッテリーの正面図、および背面図である。
【図８】本発明の実施例３に係るカメラモジュールを有するバッテリーの正面図、および背面図である。
【図９】本発明の実施例４に係るカメラモジュールを有するバッテリーの正面図、および背面図である。
【符号の説明】
１００　携帯電話本体
１１０　機能キー
２１０　内側表示窓
２２０　外側表示窓
３００　バッテリー
３１０、３１０ａ、６１０、６１０ａ　連結端子
４００　カメラモジュール
４１０　カメラ
５００　プロセッサ
【図１】
2004048682.tif 000003
【図２】
2004048682.tif 000004
【図３】
2004048682.tif 000005
【図４】
2004048682.tif 000006
【図５】
2004048682.tif 000007
【図６】
2004048682.tif 000008
【図７】
2004048682.tif 000009
【図８】
2004048682.tif 000010
【図９】
2004048682.tif 000011